(57)【要約】【課題】表示放電の開始時期の制御性を高めることを目的とする。【解決手段】選択的に壁電荷の形成された点灯すべきセルのみで表示すべき明るさに応じた回数の表示放電を生じさせるプラズマディスプレイパネルの駆動に際して、各表示放電を起こすごとに、当該表示放電の終息から次の表示放電の開始までの間に、少なくとも前記点灯すべきセルに対して、ガス放電が生じないように電圧印加を行い、それによって表示放電が終息した時点でセル内に存在する空間電荷を意図的に低減させる。【選択図】図３
2005202160.tif 000002
【特許請求の範囲】
【請求項１】
選択的に壁電荷の形成された点灯すべきセルのみで表示すべき明るさに応じた回数の表示放電を生じさせるプラズマディスプレイパネルの駆動方法であって、
各表示放電を起こすごとに、当該表示放電の終息から次の表示放電の開始までの間に、少なくとも前記点灯すべきセルに対して、当該セル内の空間電荷を減少させる電圧印加を行う
ことを特徴とするプラズマディスプレイパネルの駆動方法。
【請求項２】
表示放電の開始直前の空間電荷が多いほどその減少量を多くするように、前記電圧印加における印加時間および印加電圧値の少なくとも一方を、セル総数に対する点灯すべきセル数の割合または表示放電の周期に応じて変化させる
請求項１記載のプラズマディスプレイパネルの駆動方法。
【請求項３】
多数のセルからなる画面、および前記画面に配列されて行ごとに表示放電のための電極対を構成する表示電極を有したＡＣ型のプラズマディスプレイパネルの駆動方法であって、
前記セルで表示放電を生じさせるために前記電極対の電極間にサステインパルスを印加し、その直後に前記サステインパルスと極性が反対でかつ前記サステインパルスよりも振幅の小さいパルスを前記電極対の電極間に印加する
ことを特徴とするプラズマディスプレイパネルの駆動方法。
【請求項４】
多数のセルからなる画面、前記画面に行電極として配列されて各セルで表示放電のための電極対を構成する表示電極、および前記画面に列電極として配列されたアドレス電極を有するＡＣ型のプラズマディスプレイパネルの駆動方法であって、
前記セルで表示放電を生じさせるために前記電極対の電極間にサステインパルスを印加し、
前記サステインパルスよりも振幅が小さくかつパルス幅の短いパルスを、前記サステインパルスの後半部分と印加時期が重複するように、前記電極対と前記アドレス電極との電極間に印加する
ことを特徴とするプラズマディスプレイパネルの駆動方法。
【請求項５】
多数のセルからなる画面、および前記画面に配列されて行ごとに表示放電のための電極対を構成する表示電極を有したＡＣ型のプラズマディスプレイパネルの駆動方法であって、
前記セルで表示放電を生じさせるために、振幅の異なる３つの部分をもつステップ波形のサステインパルスを前記電極対の電極間に印加し、当該ステップ波形は前側および後側の部分の振幅が中央の部分の振幅よりも大きい波形である
ことを特徴とするプラズマディスプレイパネルの駆動方法。
【請求項６】
多数のセルからなる画面、および前記画面に配列されて行ごとに表示放電のための電極対を構成する表示電極を有したＡＣ型のプラズマディスプレイパネルの駆動方法であって、
前記セルで表示放電を生じさせるために振幅の異なる２つの部分をもつステップ波形のサステインパルスを前記電極対の電極間に印加し、当該ステップ波形は前側部分の振幅が後側部分の振幅よりも大きい波形であり、
前記サステインパルスの印加の直後に前記サステインパルスと極性が反対でかつ前記サステインパルスの後側部分よりも振幅の小さいパルスを前記電極対の電極間に印加する
ことを特徴とするプラズマディスプレイパネルの駆動方法。
【請求項７】
多数のセルからなる画面、前記画面に行電極として配列されて各セルで表示放電のための電極対を構成する表示電極、および前記画面に列電極として配列されたアドレス電極を有するＡＣ型のプラズマディスプレイパネルの駆動方法であって、
前記セルで表示放電を生じさせるために振幅の異なる２つの部分をもつステップ波形のサステインパルスを前記電極対の電極間に印加し、当該ステップ波形は前側部分の振幅が後側部分の振幅よりも大きい波形であり、
前記サステインパルスよりも振幅が小さくかつパルス幅の短いパルスを、前記サステインパルスの後側部分と印加時期が重複するように前記電極対と前記アドレス電極との電極間に印加する
ことを特徴とするプラズマディスプレイパネルの駆動方法。
【発明の詳細な説明】
【技術分野】
【０００１】
本発明は、プラズマディスプレイパネル（Plasma Display Panel：ＰＤＰ）の駆動方法に関する。
【背景技術】
【０００２】
フラットパネルディスプレイが画像表示デバイスの主流になりつつある中、より安定した高品位の表示が望まれている。プラズマディスプレイパネルにおいては、表示放電の制御の改良が模索されている。
【０００３】
ＡＣ型のプラズマディスプレイパネルの駆動方法は、表示電極対を被覆する誘電体の帯電によって生じる壁電圧を表示に利用する。画面内のセルのうち、表示放電を起こすべきセルの壁電圧を他のセルの壁電圧よりも高くしておき、その後に全セルに対して一斉に適切なサステインパルス（表示パルスともいう）を印加する。サステインパルスの印加によって壁電圧に駆動電圧が重畳する。駆動電圧と壁電圧との和であるセル電圧が放電開始電圧を超えたセルのみで表示放電が起きる。表示放電による発光を"点灯"という。壁電圧の利用によって、点灯すべきセルのみを選択的に点灯させることができる。
【０００４】
サステインパルスは、１回ごとに駆動電圧の極性が反転するように表示すべき明るさに応じた回数だけ繰り返し印加される。印加周期は数マイクロ秒程度であり、視覚的には発光は連続する。最初の印加に呼応して表示放電が生じると、いったん誘電体上の壁電荷が消失し、直ちに壁電荷の再形成が始まる。再形成される壁電荷の極性は以前と反対である。壁電荷の再形成にともなって表示電極間のセル電圧が降下して表示放電は終息する。放電の終息とは、表示電極を流れる放電電流が実質的に０（ゼロ）になることを意味する。表示放電が終息した時点からサステインパルスの後縁までは引き続きセルに駆動電圧が加わる。壁電圧の上昇によって駆動電圧が打ち消されるまで、誘電体への空間電荷の静電吸引が続く。すなわち、放電の終息後もセル電圧が０になるまで壁電荷の再形成が進行する。個々のサステインパルスは、表示放電を生じさせるとともに次の表示放電に必要な適量の壁電荷を再形成させる役割をもつ。
【０００５】
典型的なサステインパルスの波形は矩形波形である。矩形波状のサステインパルスの振幅、すなわち維持電圧Ｖｓはプラズマディスプレイパネルの放電特性によって決まる許容範囲内の値に選定される。維持電圧Ｖｓが放電開始電圧Ｖｆに近い上限値を超える値であると、点灯すべきでないセルでも放電が起こってしまう。また、維持電圧Ｖｓが下限値より小さい値であると、壁電荷の再形成が不十分になり、そのために点灯の繰り返しが不安定になってしまう。
【０００６】
サステインパルスの波形については種々の変形が提案されている。特開２００２−７２９５９号公報には、後半の振幅が前半の振幅より大きいステップ波形が記載されている。このステップ波形によれば、比較的に低い電圧で表示放電を生じさせ、かつ十分な量の壁電荷を形成することができる。また、特開２００３−２９７００号公報において、前縁部分の振幅が他の部分の振幅よりも大きいステップ波形が提案されている。このステップ波形によれば、発光効率を高めることができる。
【０００７】
さらに、サステインパルスに関する先行文献として特開２００１−１２５５３７号公報がある。同文献には、無効電流を抑制するために、サステインパルスの印加終了直後に１００ナノ秒以下の極めて短い時間だけ、サステインパルスと反対極性の電圧をセルに印加することが開示されている。この短時間の反対極性電圧の印加は、サステインパルスの後縁の時点で放電空間から電極へ向かっている電子およびイオンを放電空間へ強制的に追い返す。追い返えされた電子およびイオンは空間電荷として放電空間に残留する。
【特許文献１】特開２００２−７２９５９号公報
【特許文献２】特開２００３−２９７００号公報
【特許文献３】特開２００１−１２５５３７号公報
【発明の開示】
【発明が解決しようとする課題】
【０００８】
サステインパルスの印加時点におけるセル内の空間電荷が生むプライミング効果によって、表示放電が適正時期より早く起こるという問題があった。適正時期は、パルス印加の開始に呼応して上昇する表示電極間の印加電圧がサステインパルスの振幅に達した時点以降の所定期間である。印加電圧がサステインパルスの振幅に達する以前の時点で表示放電が起こると、放電強度が小さいことから十分な輝度が得られないだけでなく、壁電荷の再形成が不十分になり易い。特に上記特開２００３−２９７００号公報の開示のように発光効率の向上を意図した前縁振幅の大きいステップ波形のサステインパルスを印加する場合には、十分な輝度が得られないことによってステップ波形の利点が失われてしまう。
【０００９】
本発明は、表示放電の開始時期の制御性を高めることを目的としている。
【課題を解決するための手段】
【００１０】
本発明においては、表示放電が終息した時点でセル内に存在する空間電荷を意図的に低減させる。詳しくは、選択的に壁電荷の形成された点灯すべきセルのみで表示すべき明るさに応じた回数の表示放電を生じさせるプラズマディスプレイパネルの駆動に際して、各表示放電を起こすごとに、当該表示放電の終息から次の表示放電の開始までの間に、少なくとも前記点灯すべきセルに対して、ガス放電が生じないように電圧印加を行う。印加電圧の極性についての制約はない。表示放電にともなう壁電荷の再形成によってセル電圧がゼロになった後に、セル電圧を変化させる電圧印加を行うと、空間電荷は静電吸着および電荷同士の結合（中和）によって減少する。
【００１１】
壁電荷への影響を考慮すると、空間電荷量をゼロまたはそれに近い値にする最小限の電圧印加が望ましい。表示放電の頻度が大きいセルほど空間電荷が残留し易いので、表示内容に応じて印加電圧の値または印加時間を変化させる動的な電圧印加は有効である。
【発明の効果】
【００１２】
請求項１ないし請求項７の発明によれば、空間電荷の影響が小さくなるので、表示放電の開始時期の制御性が高まる。
【発明を実施するための最良の形態】
【００１３】
カラー表示デバイスとして有用な３電極面放電構造のセルからなる画面をもつＡＣ型プラズマディスプレイパネルは本発明の好適な適用対象である。
【００１４】
図１は本発明に係る表示装置の構成図である。表示装置１００は、カラー表示面を有したＡＣ型のプラズマディスプレイパネル１と、セルの発光を制御するドライブユニット７０とから構成されており、壁掛け式テレビジョン受像機、コンピュータシステムのモニターなどとして利用される。
【００１５】
プラズマディスプレイパネル１において、表示放電を生じさせるための電極対を構成する表示電極Ｘと表示電極Ｙが互いに平行に配置され、これら表示電極Ｘ，Ｙと交差するようにアドレス電極Ａが配列されている。表示電極Ｘ，Ｙは行電極であり、アドレス電極Ａは列電極である。
【００１６】
ドライブユニット７０は、コントローラ７１、データ変換回路７２、電源回路７３、表示率検出回路７４、Ｘドライバ７５、Ｙドライバ７６、およびＡドライバ７７を有している。ドライブユニット７０にはＴＶチューナ、コンピュータなどの外部装置からＲ，Ｇ，Ｂの３色の輝度レベルを示すフレームデータＤｆが各種の同期信号とともに入力される。フレームデータＤｆはデータ変換回路７２の中のフレームメモリに一時的に記憶される。データ変換回路７２は、フレームデータＤｆを階調表示のためのサブフレームデータＤｓｆに変換してＡドライバ７７へ送る。サブフレームデータＤｓｆは１セル当たり１ビットの表示データの集合であって、その各ビットの値は該当する１つのサブフレームにおけるセルの発光の要否、厳密にはアドレス放電の要否を示す。Ａドライバ７７は、サブフレームデータＤｓｆに従って、アドレス放電を起こすべきセルに通じるアドレス電極Ａにアドレスパルスを印加する。電極へのパルスの印加とは、電極を一時的に所定電位にバイアスすることを意味する。コントローラ７１は、パルス印加およびサブフレームデータＤｓｆの転送を制御する。電源回路７３は、各ドライバへプラズマディスプレイパネル１の駆動に必要な電力を供給する。
【００１７】
表示率検出回路７４は、サブフレームデータＤｓｆにおける点灯すべきセルを示すビットをカウントすることによってサブフレームごとに“表示率α”を検出する。表示率αは、サブフレームにおけるセル総数Ｋに対する点灯すべきセル数ｋの割合（例えば百分率とすれば点灯率＝ｋ／Ｋ×１００）である。表示率検出回路７４は検出した表示率αをコントローラ７１に通知する。コントローラ７１は、表示率αに応じて表示放電に係る駆動条件を切り換えるとともにサステインパルスの印加回数を増減する。駆動条件の切り換えに際しては、予め内蔵メモリ７１０に記憶されている表示率と波形との対応付けが参照される。
【００１８】
表示装置１００におけるプラズマディスプレイパネル１に対する駆動シーケンスの概略は次のとおりである。プラズマディスプレイパネル１による表示では、２値の点灯制御によってカラー再現を行うために、図２のように入力画像である時系列のフレームＦｋ−２，Ｆｋ−１，Ｆｋ，Ｆｋ＋１（以下、入力順序を示す添字を省略する）を所定数ＮのサブフレームＳＦ1 ，ＳＦ2 ，ＳＦ3 ，ＳＦ4 ，…ＳＦＮ-１ ，ＳＦＮ   (以下、表示順序を示す添字を省略する）に分割する。つまり、各フレームＦをＮ個のサブフレームＳＦの集合に置き換える。これらサブフレームＳＦに順にＷ1 ，Ｗ2 ，Ｗ3 ，Ｗ4 ，…ＷＮ-１ ，ＷＮ  の輝度の重みを付与する。これら重みＷ1 ，Ｗ2 ，Ｗ3 ，Ｗ4 ，…ＷＮ-１ ，ＷＮ  は各サブフレームＳＦの表示放電の回数を規定する。図２ではサブフレーム配列が重みの順であるが、他の順序であってもよい。このようなフレーム構成に合わせてフレーム転送周期であるフレーム期間ＴｆをＮ個のサブフレーム期間Ｔｓｆに分割し、各サブフレームＳＦに１つのサブフレーム期間Ｔｓｆを割り当てる。さらに、サブフレーム期間Ｔｓｆを、壁電荷の初期化のためのリセット期間ＴＲ、アドレッシングのためのアドレス期間ＴＡ、および点灯維持のための表示期間ＴＳに分ける。リセット期間ＴＲおよびアドレス期間ＴＡの長さが重みに係わらず一定であるのに対し、表示期間ＴＳの長さは重みが大きいほど長い。したがって、サブフレーム期間Ｔｓｆの長さも、それに該当するサブフレームＳＦの重みが大きいほど長い。Ｎ個のサブフレームＳＦにおいてリセット期間ＴＲ・アドレス期間ＴＡ・表示期間ＴＳの順序は共通である。サブフレームごとに壁電荷の初期化、アドレッシング、および点灯維持が行われる。
【００１９】
以上の駆動シーケンスのうち、本発明に深く係わるのは表示期間ＴＳにおける点灯維持である。輝度の重みに応じた回数の表示放電を生じさせる点灯維持において、表示放電が終息した時点でセル内に存在する空間電荷を意図的に低減させる本発明に特有の電圧印加が行われる。電圧印加には以下に説明する複数通りの形態がある。
【００２０】
なお、波形の図示においては、特に必要がない限り、パルスの極性を区別せずに振幅およびパルス幅の共通するパルスに共通の符号を付す。また、以下において振幅の大小はパルスベース電位と瞬時値との差の絶対値の大小を意味する。
【実施例１】
【００２１】
図３は実施例１に係る駆動電圧波形の概略図である。図において表示電極Ｙの参照符号の添字（１，ｎ）は対応する行の配列順位を示す。図示の波形は一例であり、振幅・極性・タイミングを種々変更することができる。パルスベース電位は接地電位に限らず、−Ｖｓ／２といったオフセット電位でもよい。
【００２２】
各サブフレームのリセット期間ＴＲにおいては、全てのセルの表示電極間に漸増電圧が加わるように、全ての表示電極Ｘに対して負極性および正極性のランプ波形パルスを順に印加し、全ての表示電極Ｙに対して正極性および負極性のランプ波形パルスを順に印加する。これらランプ波形パルスの振幅は微小放電が生じるような十分に小さい変化率で漸増する。セルには、表示電極Ｘ，Ｙに印加されるパルスの振幅を加算した合成電圧が加わる。１回目の漸増電圧の印加で生じる微小放電は、前サブフレームにおける点灯／非点灯に係わらず全てのセルに同一極性の適当な壁電圧を生じさせる。２回目の漸増電圧の印加で生じる微小放電は、壁電圧を放電開始電圧と印加電圧の振幅との差に相当する値に調整する。
【００２３】
アドレス期間ＴＡにおいては、点灯すべきセルのみに点灯維持に必要な壁電荷を形成する。全ての表示電極Ｘおよび全ての表示電極Ｙを所定電位にバイアスした状態で、行選択期間（１行分のスキャン時間）ごとに選択行に対応した１つの表示電極ＹにスキャンパルスＰｙを印加する。この行選択と同時にアドレス放電を生じさせるべき選択セルに対応したアドレス電極ＡのみにアドレスパルスＰａを印加する。つまり、選択行のサブフレームデータＤｓｆに基づいてアドレス電極Ａの電位を２値制御する。選択セルでは表示電極Ｙとアドレス電極Ａとの間の放電が生じ、それがトリガとなって表示電極間の面放電が生じる。これら一連の放電がアドレス放電である。
【００２４】
そして、表示期間ＴＳにおいては、基本の動作として振幅Ｖｓの矩形波形のサステインパルスＰｓを表示電極Ｙと表示電極Ｘとに交互に印加する。これにより、表示電極Ｘと表示電極Ｙとの電極間（以下、これをＸＹ電極間という）には交互に極性の入れ替わるパルス列が加わる。サステインパルスＰｓの印加によって、所定の壁電荷が残存するセルで面放電が生じる。サステインパルスＰｓの印加回数は上述したとおりサブフレームの重みに対応する。このようなサステインパルスＰｓの印加に同期させて、サステインパルスＰｓと反対極性の矩形波形の付加パルスＰｅを各サステインパルスＰｓの印加直後に当該サステインパルスＰｓを印加した表示電極Ｙまたは表示電極Ｘに印加する。付加パルスＰｅの振幅は５０〜１００ボルト程度であって、サステインパルスＰｓの振幅Ｖｓ（１５０〜１８０ボルト）よりも低い。また。付加パルスＰｅのパルス幅は数百ナノ秒程度であって、サステインパルスＰｓのパルス幅（２．５〜３．５マイクロ秒）よりも短い。
【００２５】
図４は実施例１に係る電圧印加の作用を示す波形図である。上述のとおり、表示電極Ｘおよび表示電極ＹへのサステインパルスＰｓおよび付加パルスＰｅの印加によってＸＹ電極間に交流駆動波形が与えられる。表示期間ＴＳの開始時点では、それ以前のアドレッシングで点灯すべきセルに適量の壁電荷が形成されているので、点灯すべきセルのＸＹ電極間には壁電圧が生じている。サステインパルスＰｓが印加されると、壁電圧と印加電圧との和であるセル電圧が一気に上昇し、ＸＹ電極間で表示放電７０が起こる。図中の放電電流の４つのピークのそれぞれが表示放電７０を表す。表示放電７０が起こると、いったん壁電荷が消失し、直ちに壁電荷の再形成が始まる。再形成される壁電荷の極性は以前と反対である。壁電荷の再形成にともなってＸＹ電極間のセル電圧が降下して表示放電７０は終息する。表示放電７０が終息した後もセル電圧が０になるまで壁電荷の再形成が進行する。
【００２６】
一方、表示放電７０に伴って放電ガスの電離によって放電空間に空間電荷が生じる。空間電荷は壁電荷の再形成に伴って減少するものの、サステインパルスＰｓの後縁の時点においても残存する。１つのサステインパルスＰｓの印加終了と同時に付加パルスＰｅが印加されると、それまで０であったセル電圧が一時的に上昇する。これにより、大半の空間電荷が静電吸着および中和によって消滅する。つまり、付加パルスＰｅの印加は空間電荷を強制的に減少させる。なお、付加パルスＰｅを鈍波状にすることによって、付加パルスＰｅの印加で不要の放電が生じるのをより確実に防ぐことができる。
【００２７】
ここで、表示放電の終息後に放電を生じさせないようにセルに電圧を印加する期間を“消去期間”と呼称し、印加する電圧を“消去電圧”と呼称する。駆動シーケンスに消去期間を組み入れることで、表示放電に割り当て可能な時間が短くなる。したがって、消去期間の長さは短い方が好ましい。また消去電圧を高くすることは、電力損失を大きくするので好ましくない。一方、プライミング粒子である空間電荷の量が多い場合には、消去期間を長くするか、消去電圧を高くする必要がある。一般に表示率（表示負荷率ともいう）が大きいときには、近隣セルからの電荷供給によってプライミング粒子が多い状態となる。表示期間の初期はプライミング粒子が少なく、放電の生じた回数が増えるにつれてプライミング粒子が多くなる。これらを考慮すると、表示率に応じて消去期間の長さまたは消去電圧を切り換えること、および表示期間の前半と後半とで消去期間の長さまたは消去電圧を切り換えることは有用である。また、表示放電周期が短い場合のみ、短時間に十分に空間電荷を低減させるために消去電圧を高くするというように、表示放電周期に応じて消去電圧を切り換えることも有用である。
【００２８】
次に、消去期間および消去電圧の切り換えの一例を説明する。
【００２９】
消去期間および消去電圧には自動電力制御（Auto Power Control:ＡＰＣ）が関連する。自動電力制御は、画面が全体的に明るい表示では個々のセルの発光量が少なくてもそれが目立たないことを利用し、できるだけ明るく見やすい表示を実現しかつサステインにおける消費電力が許容限度を超えないようにする機能である。自動電力制御によって、各サブフレームの表示において印加されるサステインパルスの数は、サブフレーム間の輝度の相対比が重みの相対比に保たれるように、１フレームのサブフレームの表示率の総和に応じて増減される。自動電力制御は、省電力化および発熱対策の上で重要である。
【００３０】
図５は自動電力制御の概要を示す。表示率が一定値（例では約１５％）より小さいときには実質的に自動電力制御は行われず、サステインパルスの数はフレーム周期で決まる時間内に印加可能な最大数とされる。この場合、表示期間として必要な期間の長さは上限値Ｔｍａｘである。図５（Ａ）ではサステインパルス数がサステイン周波数で表されている。表示率が上記一定値より小さいときは、表示率が大きいほど消費電力も大きい。表示率が上記一定値のとき、消費電力は許容範囲の上限値Ｐｍａｘである。表示率が上記一定値を超えると自動電力制御機能が働き、表示率の増大につれてサステインパルス数（サステイン周波数）が減少する。
【００３１】
図６は表示率とパルス波形との対応付けの一例を示す。例示では表示率が２０％未満の範囲と２０％以上の範囲に区分される。表示率が２０％未満のサブフレームでは、サステインパルスＰｓが周期Ｔｓ１で印加され、各サステインパルスＰｓの印加に続いて付加パルスＰｅ１が印加される。表示率が２０％以上のサブフレームでは、サステインパルスＰｓが周期Ｔｓ２で印加され、各サステインパルスＰｓの印加に続いて付加パルスＰｅ２が印加される。周期Ｔｓ１および周期Ｔｓ２は実質的に表示放電周期である。周期Ｔｓ１は周期Ｔｓ２よりも短いので、表示率が２０％未満の場合の消去期間Ｔｅ１を決める付加パルスＰｅ１のパルス幅は、表示率が２０％以上の場合の消去期間Ｔｅ２を決める付加パルスＰｅ２のパルス幅も短い時間に選定されている。付加パルスＰｅ１の振幅（消去電圧）Ｖｅ１は付加パルスＰｅ２の振幅（消去電圧）Ｖｅ２よりも大きい。つまり、時間的余裕の少ないときには比較的に高い消去電圧を印加して比較的に短い時間で空間電荷を十分に低減させ、時間的余裕の多いときには比較的に低い消去電圧を印加して比較的に長い時間をかけて空間電荷を十分に低減させる。
【００３２】
表示率の範囲分けの設定値は例示に限られず、駆動対象のプラズマディスプレイパネルの放電特性に応じて適宜変更すべき数値である。表示率の範囲分けを細かくして消去期間および消去電圧をより最適化することができる。
【実施例２】
【００３３】
図７は実施例２に係る印加電圧の波形図である。表示期間ＴＳにおいて、表示電極ＸにサステインパルスＰｓを印加したときには、その直後に表示電極Ｙに付加パルスＰｅを印加する。表示電極ＹにサステインパルスＰｓを印加したときには、その直後に表示電極Ｘに付加パルスＰｅを印加する。このような電極電位の制御によっても上述した実施例１と同様の交流駆動波形をＸＹ電極間に与えることができる。
【実施例３】
【００３４】
図８は実施例３に係る印加電圧の波形図である。実施例３は、アドレス電極Ａと表示電極Ｘとの電極間（以下、これをＡＸ電極間という）およびアドレス電極Ａと表示電極Ｙとの電極間（以下、これをＡＹ電極間という）に消去電圧を印加する形態の例である。
【００３５】
表示期間ＴＳにおいて、表示放電を生じさせるために、表示電極Ｘと表示電極Ｙとに交互にステップ波形のサステインパルスＰｓｄを印加する。表示電極ＸにサステインパルスＰｓｄを印加するときには後縁どうしを一致させるタイミングで表示電極Ｙに付加パルスＰｅを印加し、表示電極ＹにサステインパルスＰｓｄを印加するときには後縁どうしを一致させるタイミングで表示電極Ｘに付加パルスＰｅを印加する。サステインパルスＰｓｄの波形は、後端部の振幅が小さいステップ波形であり、サステインパルスＰｓｄの印加と付加パルスＰｅの印加とが重複することによって、ＸＹ電極間には矩形波形のサステインパルスＰｓが加わる。このとき、ＡＹ電極間またはＡＸ電極間にこれら電極間のセル電圧を一時的に上昇させる付加パルスＰｅが加わる。付加パルスＰｅは空間電荷を強制的に低減させる。
【００３６】
実施例３は、表示放電の終息から次のサステインパルスＰｓの印加までの期間に、ＸＹ電極間にはそのセル電圧を上昇させる電圧印加が行われないので、ＸＹ電極間の壁電荷量が変化しにくいという利点をもつ。
【実施例４】
【００３７】
図９は実施例４に係る印加電圧の波形図である。実施例４も実施例３と同様に表示電極Ｘおよび表示電極Ｙの電位制御によってＡＸ電極間およびＡＹ電極間に消去電圧を印加する形態の例である。
【００３８】
表示期間ＴＳにおいて、表示放電を生じさせるために、表示電極Ｘと表示電極Ｙとに交互にステップ波形のサステインパルスＰｓｕを印加する。表示電極ＸにサステインパルスＰｓｕを印加するときには後縁どうしを一致させるタイミングで表示電極Ｙに付加パルスＰｅを印加し、表示電極ＹにサステインパルスＰｓｕを印加するときには後縁どうしを一致させるタイミングで表示電極Ｘに付加パルスＰｅを印加する。サステインパルスＰｓuの波形は、後端部の振幅が大きいステップ波形であり、サステインパルスＰｓｄの印加と付加パルスＰｅの印加とが重複することによって、ＸＹ電極間には矩形波形のサステインパルスＰｓが加わる。このとき、ＡＹ電極間またはＡＸ電極間にこれら電極間のセル電圧を一時的に上昇させる付加パルスＰｅが加わる。付加パルスＰｅは空間電荷を強制的に低減させる。
【００３９】
実施例４も、ＸＹ電極間の壁電荷量が変化しにくいという利点をもつ。
【実施例５】
【００４０】
図１０は実施例５に係る印加電圧の波形図である。実施例５も実施例３と同様に表示電極Ｘおよび表示電極Ｙの電位制御によってＡＸ電極間およびＡＹ電極間に消去電圧を印加する形態の例である。
【００４１】
表示期間ＴＳにおいて、表示放電を生じさせるために、表示電極Ｘと表示電極Ｙとに交互にステップ波形のサステインパルスＰｓｕを印加する。このとき、あるサステインパルスＰｓｕの後端部と次のサステインパルスＰｓｕの前端部とが時間的に重なるようにする。
この場合、サステインパルスＰｓｕの後端部において、当該サステインパルスＰｓｕを印加する表示電極をハイインピーダンスとし、ＸＹ電極間の容量結合によって電極電位を上昇させることができる。
【実施例６】
【００４２】
図１１は実施例６に係る印加電圧の波形図である。実施例６はアドレス電極Ａの電位制御によってＡＸ電極間およびＡＹ電極間に消去電圧を印加する形態の例である。
【００４３】
表示期間ＴＳにおいて、表示放電を生じさせるために、表示電極Ｘと表示電極Ｙとに交互に矩形波形のサステインパルスＰｓを印加する。各サステインパルスＰｓと後縁どうしを一致させるタイミングでアドレス電極Ａに付加パルスＰｅを印加する。
【実施例７】
【００４４】
図１２は実施例７に係る印加電圧の波形図である。実施例７も実施例６と同様にアドレス電極Ａの電位制御によってＡＸ電極間およびＡＹ電極間に消去電圧を印加する形態の例である。
【００４５】
表示期間ＴＳにおいて、表示放電を生じさせるために、表示電極Ｘと表示電極Ｙとに交互に矩形波形のサステインパルスＰｓを印加する。各サステインパルスＰｓとは後縁どうしを一致させるタイミングでアドレス電極Ａに付加パルスＰｅを印加する。実施例７と実施例６とでは付加パルスＰｅの極性が反対である。
【実施例８】
【００４６】
図１３は実施例８に係る電圧印加の作用を示す波形図である。実施例８はサステインパルス波形を、発光効率の向上に有利な前縁部の振幅が大きいステップ波形とし、表示電極Ｘおよび表示電極Ｙの電位制御によってＸＹ電極間に消去電圧を印加する形態の例である。
【００４７】
表示期間ＴＳにおいては、振幅の異なる３つの部分をもつステップ波形のサステインパルスＰｓｐを表示電極Ｙと表示電極Ｘとに交互に印加する。サステインパルスＰｓｐの波形は、前側および後側の部分の振幅が中央の部分の振幅よりも大きくかつ後側部分と中央部分との振幅差が前側部分と中央部分との振幅差よりも小さいステップ波形である。サステインパルスＰｓｐの印加によってＸＹ電極間に交流駆動波形が与えられる。表示期間ＴＳの開始時点では、それ以前のアドレッシングで点灯すべきセルに適量の壁電荷が形成されているので、点灯すべきセルのＸＹ電極間には壁電圧が生じている。サステインパルスＰｓｐが印加されると、壁電圧と印加電圧との和であるセル電圧が一気に上昇し、ＸＹ電極間で強い表示放電７１が起こる。図中における放電電流の４つのピークのそれぞれが表示放電７１を表す。表示放電７１が起こると、いったん壁電荷が消失し、直ちに壁電荷の再形成が始まる。再形成される壁電荷の極性は以前と反対である。壁電荷の再形成にともなってＸＹ電極間のセル電圧が降下して表示放電７１は終息する。表示放電７０が終息した後もセル電圧が０になるまで壁電荷の再形成が進行する。
【００４８】
一方、表示放電７１に伴って放電ガスの電離によって放電空間に空間電荷が生じる。空間電荷は壁電荷の再形成に伴って減少するものの、サステインパルスＰｓｐの後縁の時点においても残存する。サステインパルスＰｓｐの後側部分の振幅が中央部分の振幅より大きいので、後側部分が印加されると、それまで０であったセル電圧が一時的に上昇する。これにより、大半の空間電荷が静電吸着および中和によって消滅する。つまり、サステインパルスＰｓｐの後側部分が空間電荷を強制的に減少させる。なお、サステインパルスＰｓｐの後側部分を鈍波状にすることによって、不要の放電が生じるのをより確実に防ぐことができる。
【実施例９】
【００４９】
図１４は実施例９に係る印加電圧の波形図である。実施例９も表示電極Ｘおよび表示電極Ｙの電位制御によってＸＹ電極間に消去電圧を印加する形態の例である。
【００５０】
表示期間ＴＳにおいて、表示放電を生じさせるために、表示電極Ｘと表示電極Ｙとに交互に前縁振幅の大きいステップ波形のサステインパルスＰｓｏを印加する。表示電極ＸにサステインパルスＰｓｏを印加するときには後縁どうしを一致させるタイミングで表示電極Ｙに付加パルスＰｅを印加し、表示電極ＹにサステインパルスＰｓｏを印加するときには後縁どうしを一致させるタイミングで表示電極Ｘに付加パルスＰｅを印加する。付加パルスＰｅはＸＹ電極間のセル電圧を一時的に上昇させ、空間電荷を強制的に低減させる。
【実施例１０】
【００５１】
図１５は実施例１０に係る印加電圧の波形図である。実施例１０は実施例１と同様に表示電極Ｘおよび表示電極Ｙの電位制御によってＸＹ電極間に消去電圧を印加する形態の例である。
【００５２】
表示期間ＴＳにおいて、表示放電を生じさせるために、表示電極Ｘと表示電極Ｙとに交互にステップ波形のサステインパルスＰｓｏを印加する。表示電極ＸにサステインパルスＰｓｏを印加したときには、その直後に表示電極Ｘに付加パルスＰｅを印加する。表示電極ＹにサステインパルスＰｓｏを印加したときには、その直後に表示電極Ｙに付加パルスＰｅを印加する。これにより、実施例１と同様に空間電荷が強制的に低減される。
【実施例１１】
【００５３】
図１６は実施例１１に係る印加電圧の波形図である。実施例１５は実施例６と同様にアドレス電極Ａの電位制御によってＡＸ電極間およびＡＹ電極間に消去電圧を印加する形態の例である。
【００５４】
表示期間ＴＳにおいて、表示放電を生じさせるために、表示電極Ｘと表示電極Ｙとに交互に矩形波形のサステインパルスＰｓｏを印加する。各サステインパルスＰｓｏと後縁どうしを一致させるタイミングでアドレス電極Ａに付加パルスＰｅを印加する。
【産業上の利用可能性】
【００５５】
本発明の適用によって表示期間における空間電荷の影響が小さくなって表示放電の開始時期の制御性が高まるので、本発明はプラズマディスプレイパネルの表示の安定化を図る上で有用である。面放電型に限らず、前面基板と背面基板とに表示電極が配列された対向放電型のプラズマディスプレイパネルに本発明を適用することができる。
【図面の簡単な説明】
【００５６】
【図１】本発明に係る表示装置の構成図である。
【図２】フレーム分割の概念図である。
【図３】実施例１に係る駆動電圧波形の概略図である。
【図４】実施例１に係る電圧印加の作用を示す波形図である。
【図５】自動電力制御の概要を示す図である。
【図６】表示率とパルス波形との対応付けの一例を示す図である。
【図７】実施例２に係る印加電圧の波形図である。
【図８】実施例３に係る印加電圧の波形図である。
【図９】実施例４に係る印加電圧の波形図である。
【図１０】実施例５に係る印加電圧の波形図である。
【図１１】実施例６に係る印加電圧の波形図である。
【図１２】実施例７に係る印加電圧の波形図である。
【図１３】実施例８に係る電圧印加の作用を示す波形図である。
【図１４】実施例９に係る印加電圧の波形図である。
【図１５】実施例１０に係る印加電圧の波形図である。
【図１６】実施例１１に係る印加電圧の波形図である。
【符号の説明】
【００５７】
１    プラズマディスプレイパネル
７０，７１    表示放電
Ｘ，Ｙ    表示電極
Ｐｓ，Ｐｓｄ，Ｐｓｕ，Ｐｓｐ，Ｐｓｏ    サステインパルス
Ｐｅ  付加パルス（パルス）
【図１】
2005202160.tif 000003
【図２】
2005202160.tif 000004
【図３】
2005202160.tif 000005
【図４】
2005202160.tif 000006
【図５】
2005202160.tif 000007
【図６】
2005202160.tif 000008
【図７】
2005202160.tif 000009
【図８】
2005202160.tif 000010
【図９】
2005202160.tif 000011
【図１０】
2005202160.tif 000012
【図１１】
2005202160.tif 000013
【図１２】
2005202160.tif 000014
【図１３】
2005202160.tif 000015
【図１４】
2005202160.tif 000016
【図１５】
2005202160.tif 000017
【図１６】
2005202160.tif 000018